(57)【特許請求の範囲】
【請求項１】
ホース本体（３）の長さ方向に延びてその長さ方向に伸縮性を有する伸縮性たて糸（４）と、ホース本体（３）の周方向に延びるよこ糸（５）とを織成してなる筒状の織布（１１）に、気密処理を施してなるホース本体（３）に、そのホース本体（３）の周方向の一部にその長さ方向に沿って、そのホース本体（３）の長さ方向の伸長を抑制する伸長抑制手段（８，１２，１４）を講じたことを特徴とする、螺旋状ホース
【請求項２】
前記筒状の織布（１１）が、伸縮性たて糸（４）とよこ糸（５）とを筒状に織成した筒状布（６）よりなり、その筒状布（６）の少なくとも内面に気密性の内張り（７）を施してホース本体（３）を形成したことを特徴とする、請求項１に記載の螺旋状ホース
【請求項３】
前記筒状の織布（１１）が、伸縮性たて糸（４）とよこ糸（５）とを織成した織布（９）の両側縁を接合して筒状となしたものであることを特徴とする、請求項１に記載の螺旋状ホース
【請求項４】
前記ホース本体（３）が、前記筒状の織布（１１）の少なくとも内面に気密性の内張り（７）を施したものであることを特徴とする、請求項３に記載の螺旋状ホース
【請求項５】
前記ホース本体（３）が、気密処理を施した前記織布（９）の両側縁を接合して筒状としたものであることを特徴とする、請求項３に記載の螺旋状ホース
【請求項６】
前記ホース本体（３）における筒状の織布（１１）の、周方向の一部のたて糸として、長さ方向の伸縮性を有しない非伸縮性たて糸（１２）を使用することにより、伸長を抑制したことを特徴とする、請求項１に記載の螺旋状ホース
【請求項７】
前記ホース本体（３）の周方向の一部に、そのホース本体（３）の長さ方向に沿って、長さ方向の伸縮性を有しない柔軟なテープ状物（８）を添着することにより、伸長を抑制したことを特徴とする、請求項１に記載の螺旋状ホース
【請求項８】
前記テープ状物（８）を、ホース本体（３）の内面に沿って添着したことを特徴とする、請求項７に記載の螺旋状ホース
【請求項９】
前記筒状の織布（１１）が伸縮性たて糸（４）とよこ糸（５）とを織成した織布（９）の両側縁を接合して筒状となしたものであって、当該織布（９）の両側縁を前記テープ状物（８）を介して接合したことを特徴とする、請求項７に記載の螺旋状ホース
【請求項１０】
前記ホース本体（３）の外側に、伸縮性を有しないたて糸とよこ糸とを織成してなるカバー筒状布（１３）を嵌合し、当該カバー筒状布（１３）における長さ方向に延びる帯状部（１４）を除いた全周に所定間隔毎に輪切り状の切り込み（１５）を形成し、前記帯状部（１４）においてホース本体（３）の伸長を抑制したことを特徴とする、請求項１に記載の螺旋状ホース
【請求項１１】
ホース本体（３）の長さ方向に延びてその長さ方向に伸縮性を有する伸縮性たて糸（４）と、ホース本体（３）の周方向に延びるよこ糸（５）とを織成して筒状の織布（１１）を形成し、当該筒状の織布（１１）に気密処理を施してホース本体（３）を形成すると共に、当該ホース本体（３）の周方向の一部に長さ方向に沿って、そのホース本体（３）の長さ方向の伸長を抑制する伸長抑制手段（８，１２，１４）を講じることを特徴とする、螺旋状ホースの製造方法
【請求項１２】
伸縮性たて糸（４）とよこ糸（５）とを筒状に織成して筒状布（６）を形成し、当該筒状布（６）の少なくとも内面に気密性の内張り（７）を施してホース本体（３）を形成することを特徴とする、請求項１１に記載の螺旋状ホースの製造方法
【請求項１３】
伸縮性たて糸（４）とよこ糸（５）とを織成した織布（９）の両側縁を接合して筒状とすることにより筒状の織布（１１）を形成することを特徴とする、請求項１１に記載の螺旋状ホースの製造方法
【請求項１４】
前記筒状の織布（１１）の少なくとも内面に気密性の内張り（７）を施すことを特徴とする、請求項１３に記載の螺旋状ホースの製造方法
【請求項１５】
前記織布（９）に気密処理を施し、当該織布（９）の両側縁を接合して筒状の織布（１１）を形成することを特徴とする、請求項１３に記載の螺旋状ホースの製造方法
【請求項１６】
前記ホース本体（３）における筒状の織布（１１）の、周方向の一部のたて糸として、長さ方向の伸縮性を有しない非伸縮性たて糸（１２）を使用することにより、伸長を抑制することを特徴とする、請求項１１に記載の螺旋状ホースの製造方法
【請求項１７】
前記ホース本体（３）の周方向の一部に、そのホース本体（３）の長さ方向に沿って、長さ方向の伸縮性を有しない柔軟なテープ状物（８）を添着することにより、伸長を抑制することを特徴とする、請求項１１に記載の螺旋状ホースの製造方法
【請求項１８】
前記テープ状物（８）を、ホース本体（３）の内面に沿って添着することを特徴とする、請求項１７に記載の螺旋状ホースの製造方法
【請求項１９】
前記織布（９）の両側縁を、長さ方向の伸縮性を有しない柔軟なテープ状物（８）を介して接合して筒状の織布（１１）とすることを特徴とする、請求項１３に記載の螺旋状ホースの製造方法
【請求項２０】
筒状の織布（１１）の周方向の一部の外面に、その筒状の織布（１１）の長さ方向に沿ってテープ状物（８）を添着すると共に、その筒状の織布（１１）の少なくとも外面に気密処理を施し、その筒状の織布（１１）の内外面を反転してホース本体（３）を形成すると共に、前記テープ状物（８）を当該ホース本体（３）の筒状の織布（１１）の内面に位置せしめ、当該テープ状物（８）によりホース本体（３）の伸長を抑制することを特徴とする、請求項１１に記載の螺旋状ホースの製造方法
【請求項２１】
筒状の織布（１１）を所定の割合で長さ方向に伸長した状態で、前記テープ状物（８）を添着することを特徴とする、請求項１７、１８、１９又は２０に記載の螺旋状ホースの製造方法
【請求項２２】
前記ホース本体（３）の外側に、伸縮性を有しないたて糸とよこ糸とを筒状に織成し、その長さ方向に延びる帯状部（１４）を除いた全周に所定間隔毎に輪切り状の切り込み（１５）を形成したカバー筒状布（１３）を嵌合し、前記帯状部（１４）においてホース本体（３）の伸長を抑制せしめることを特徴とする、請求項１１に記載の螺旋状ホースの製造方法
【発明の詳細な説明】
【０００１】
【発明の属する技術分野】
本発明は螺旋状ホースに関するものであって、平常時には扁平に折り畳んで直線状に延ばした状態で取り扱うことができ、内部に流体を送入して加圧することにより、螺旋状の形態を取るホースに関するものである。
【０００２】
【従来の技術】
一般にホースと呼ばれる筒状体は、その用途に応じて相当程度の耐圧性能を有しており、内部に流体を通しつつある程度自由に屈曲し得る程度の柔軟性を有している。また一部の例外はあるものの、通常は耐圧性能を確保するための補強体と、流体の漏出を阻止するための気密層とを有している。
【０００３】
そしてホースの形状は、少なくとも流体を通している状態においては断面は略円形であって内部に流体の流路が形成され、また長さ方向については、その柔軟性の範囲内である程度の屈曲は可能であるものの、概ね直線状に真っ直ぐに延びた形状が常態となっている。
【０００４】
ゴムホースなどにおいては、コイル状乃至螺旋状に巻いた形状で取り扱われることが多いが、それはあくまでもかかる形状に屈曲することが可能であるに過ぎず、螺旋状の形態を常態とするものではなく一時的形態であって、巻いたホースを延ばせば常態に戻って直線状となる。
【０００５】
またプラスチックホースなどにおいては、螺旋状に成形されたホースも知られているが、これはホースの素材を螺旋管状に成形したものであって、内圧の有無に拘らずかかる形状に固定される。
【０００６】
【発明が解決しようとする課題】
本発明は、平常状態においては扁平に折り畳んだ状態で直線状に延び、コンパクトに収納したり容易に移動したりすることができ、且つ、内圧を作用させることにより断面略円形に膨らむと共に、その長さ方向に螺旋状の形態を採るホースを提供することを目的とするものである。
【０００７】
かかるホースは、内圧を作用させながら螺旋の軸方向に極めて大きい範囲で伸縮することが可能となり、例えば消防ホースに適用した場合には、過剰な長さのホースを不必要に蛇行させることなく、筒先の位置を大幅に前進後退させることが可能となる。
【０００８】
また本発明の螺旋状ホースにおける螺旋の外側を筒状の布帛で覆うことにより、螺旋状ホース内に流体圧力を作用させて螺旋を形成することで、その外側を覆った筒状の布帛を断面円形に膨らませ、速やかに大口径の筒体を形成することができる。かかる大口径の筒体は、イベント会場におけるアーチ型バルーンや、オイルフェンスの浮体として利用できる。
【０００９】
【課題を解決するための手段】
而して本発明の螺旋状ホースは、ホース本体の長さ方向に延びてその長さ方向に伸縮性を有する伸縮性たて糸と、ホース本体の周方向に延びるよこ糸とを織成してなる筒状の織布に、気密処理を施してなるホース本体に、そのホース本体の周方向の一部にその長さ方向に沿って、そのホース本体の長さ方向の伸長を抑制する伸長抑制手段を講じたことを特徴とするものである。
【００１０】
本発明における前記筒状の織布として、伸縮性たて糸とよこ糸とを筒状に織成した筒状布よりなるものとし、その筒状布の少なくとも内面に気密性の内張りを施してホース本体を形成することができる。
【００１１】
また前記筒状の織布として、伸縮性たて糸とよこ糸とを織成した織布の両側縁を接合して筒状となしたものを使用することもできる。この場合には、その筒状の織布の少なくとも内面に気密性の内張りを施したものでもよく、また気密処理を施した前記織布の両側縁を接合して筒状とすることにより、ホース本体を形成することもできる。
【００１２】
また本発明におけるホース本体の一部における長さ方向の伸長を抑制する手段としては、ホース本体における筒状の織布の、周方向の一部のたて糸として、長さ方向の伸縮性を有しない非伸縮性たて糸を使用することにより、伸長を抑制したものとすることができる。
【００１３】
またホース本体の長さ方向の伸長を抑制する他の手段としては、前記ホース本体の周方向の一部に、そのホース本体の長さ方向に沿って、長さ方向の伸縮性を有しない柔軟なテープ状物を添着することにより、伸長を抑制したものとすることもできる。この場合においては、前記テープ状物を、ホース本体の内面に沿って添着することが好ましい。
【００１４】
また前記筒状の織布が伸縮性たて糸とよこ糸とを織成した織布の両側縁を接合して筒状となしたものである場合には、当該織布の両側縁を前記テープ状物を介して接合することが好ましい。
【００１５】
またホース本体の長さ方向の伸長を抑制するさらに他の手段としては、前記ホース本体の外側に、伸縮性を有しないたて糸とよこ糸とを織成してなるカバー筒状布を嵌合し、当該カバー筒状布における長さ方向に延びる帯状部を除いた全周に所定間隔毎に輪切り状の切り込みを形成し、前記帯状部においてホース本体の伸長を抑制したものとすることもできる。
【００１６】
次に、本発明における螺旋状ホースの製造方法の発明は、ホース本体の長さ方向に延びてその長さ方向に伸縮性を有する伸縮性たて糸と、ホース本体の周方向に延びるよこ糸とを織成して筒状の織布を形成し、当該筒状の織布に気密処理を施してホース本体を形成すると共に、当該ホース本体の周方向の一部に長さ方向に沿って、そのホース本体の長さ方向の伸長を抑制する伸長抑制手段を講じることを特徴とするものである。
【００１７】
この方法におけるホース本体は、伸縮性たて糸とよこ糸とを筒状に織成して筒状布を形成し、当該筒状布の少なくとも内面に気密性の内張りを施して形成することができる。
【００１８】
また他の方法として、伸縮性たて糸とよこ糸とを織成した織布の両側縁を接合して筒状とすることにより筒状の織布を形成することができる。この場合には、その筒状の織布の少なくとも内面に気密性の内張りを施してホース本体とすることができ、また前記織布に気密処理を施し、当該織布の両側縁を接合してホース本体とすることもできる。
【００１９】
また本発明における伸長抑制手段としては、前記ホース本体における筒状の織布の、周方向の一部のたて糸として、長さ方向の伸縮性を有しない非伸縮性たて糸を使用することにより、伸長を抑制することができる。
【００２０】
また伸長抑制のための他の手段として、前記ホース本体の周方向の一部に、そのホース本体の長さ方向に沿って、長さ方向の伸縮性を有しない柔軟なテープ状物を添着することにより、伸長を抑制することもできる。この場合には、前記テープ状物をホース本体の内面に沿って添着することが好ましい。
【００２１】
また前述のように、伸縮性たて糸とよこ糸とを織成した織布の両側縁を接合することにより筒状の織布を形成する場合においては、前記織布の両側縁を、柔軟なテープ状物を介して接合することが好ましい。
【００２２】
この場合において、筒状の織布の周方向の一部の外面に、その筒状の織布の長さ方向に沿ってテープ状物を添着すると共に、その筒状の織布の少なくとも外面に気密処理を施し、その筒状の織布の内外面を反転して前記テープ状物を筒状の織布の内面に位置せしめることが好ましい。
【００２３】
またホース本体の内面にテープ状物を添着する方法として、筒状の織布の周方向の一部の外面に、その筒状の織布の長さ方向に沿ってテープ状物を添着すると共に、その筒状の織布の少なくとも外面に気密処理を施し、その筒状の織布の内外面を反転してホース本体を形成すると共に、前記テープ状物を当該ホース本体の織布の内面に位置せしめることもできる。
【００２４】
さらに、ホース本体に前記テープ状物を添着する場合には、筒状の織布を所定の割合で長さ方向に伸長した状態で、前記テープ状物を添着することにより、得られる螺旋状ホースにおける螺旋の径を調節することができる。
【００２５】
また本発明における伸長制御のためのさらに他の手段として、前記ホース本体の外側に、伸縮性を有しないたて糸とよこ糸とを筒状に織成し、その長さ方向に延びる帯状部を除いた全周に所定間隔毎に輪切り状の切り込みを形成したカバー筒状布を嵌合し、前記帯状部においてホース本体の伸長を抑制せしめることも可能である。
【００２６】
【発明の実施の形態】
以下本発明の実施の形態を図面に従って説明する。図１は本発明の螺旋状ホース１を示すものであって、この螺旋状ホース１は柔軟な筒状のホース体２よりなっている。そして当該ホース体２は、平常状態においては扁平に折り畳まれ、且つ長さ方向には直線的に延びるものであり、内圧を作用させた状態において、図面に示すように螺旋状をなすものである。
【００２７】
図２は本発明の螺旋状ホース１におけるホース体２の一例を示すものであって、（ａ）はそのホース体２の一部の斜視図であり、（ｂ）はその主要部の拡大横断面図である。
【００２８】
図面において３はホース本体であって、当該ホース本体３の長さ方向に延びる伸縮性たて糸４と、ホース本体３の周方向に延びるよこ糸５とを筒状に織成して筒状布６を形成し、当該筒状布６の内面に気密性の内張り７を形成して気密処理を施したものである。
【００２９】
そしてその筒状布６における伸縮性たて糸４として、長さ方向に伸縮性を有する糸条を使用する。当該伸縮性たて糸４の素材としては、合成繊維の捲縮加工糸や、ポリウレタン弾性糸などを使用することができる。またよこ糸５としては、通常の天然繊維又は合成繊維を使用することができ、伸縮性を有しないものを使用するのが好ましい。
【００３０】
また内張り７は、ゴムや、軟質塩化ビニル樹脂、ポリウレタン弾性体、ポリエステルエラストマーなどの柔軟な材料が使用され、これらの材料よりなるチューブを筒状布６内に引き込み、内圧をかけて膨らませ、筒状布６の内面に接着することにより形成することができる。また一般に消防用ホースなどにおいてジャケットの内面に内張りを施すための方法が種々提案されており、それらを適宜選択して採用することもできる。
【００３１】
なおこの例においては、内張り７は少なくとも筒状布６の内面に形成されることが必要であるが、筒状布６の外面にも同様のゴム又は軟質プラスチックの皮膜を形成しても差し支えない。
【００３２】
而して本発明においては、このホース本体３の内面に、その周方向の一部においてホース本体３の長さ方向に延びる、伸縮性を有しない柔軟なテープ状物８を添着することにより、ホース本体３の長さ方向の伸長を部分的に抑制している。当該テープ状物８としては、細幅の織物が適しており、添着の手段としては、縫製、接着などの手段によることができる。
【００３３】
なおこのテープ状物８は、ホース本体３における内張り７の内側に添着することもできるが、図２（ｂ）に示すように筒状布６の内面にテープ状物８を添着し、その内側に内張り７を形成するのが好ましい。
【００３４】
テープ状物８を筒状布６の内面に添着する方法として、当該テープ状物８を筒状布６内に引き込み、これを接着又は縫着して添着することもできるが、テープ状物８を筒状布６の外面に接着又は縫着して添着すると共に、その筒状布６の外面に気密性の皮膜を形成しておき、これを適宜の方法で内外面を裏返して、前記皮膜を内張り７とすると共に、テープ状物８を筒状布６の内面に位置せしめることもできる。
【００３５】
なお本発明においてテープ状物８は、ホース本体３の外面に添着することもできるが、ホース本体３に内圧がかかって伸長力が作用したときに、その外面に添着したテープ状物８が剥がれる恐れがあるので、テープ状物８はホース本体３の内面に添着することが好ましい。
【００３６】
次に図３は、本発明におけるホース体２の他の例を示すものであって、織布９の両側縁を接合して筒状の織布を形成し、その筒状の織布に気密処理を施してホース本体３を形成し、前記筒状の織布の両側縁をテープ状物８を介して接合したものである。
【００３７】
前記織布９は図３（ｂ）に示すように、伸縮性たて糸４とよこ糸５とを織成したものであって、その伸縮性たて糸４及びよこ糸５の素材は、図２においてのべたと同様のものを使用することができる。
【００３８】
その織布９に対してゴム１０のフリクション加工などの方法により気密処理が施される。なお気密処理は、織布９の両側縁を接合した筒状の織布に対して施しても良く、また予め織布９に気密処理を施しておき、それの両側縁を接合してホース本体３を形成しても良い。
【００３９】
そして織布９の両側縁はテープ状物８を挟んで重ね合わせ、これらを一体として縫合し、又は接着する。織布９の両側縁を接合し、それと別個にテープ状物８を添着することもできるが、織布９の両側縁をテープ状物８を介して接合することにより、織布９の両側縁の接合とテープ状物８の添着とを一工程で行うことができるので好ましい。
【００４０】
また織布９の接合部は強度が劣るので、それをテープ状物８で補強することができると共に、織布９の接合部は縫合又は接着により伸縮しにくくなるので、その接合位置と伸長抑制手段としてのテープ状物８の添着位置とを一致せしめることにより、加圧時にスムーズな螺旋形状が得られる。
【００４１】
図３（ｃ）は気密処理の他の例を示すものであって、織布９の両側縁を前記テープ状物８を介して接合して筒状としたのち、その内面に内張り７を形成して気密処理を施したものである。筒状の織布の内面への内張り７の形成は、図２において説明したと同様に行うことができる。
【００４２】
図４は織布９の両側縁をテープ状物８を介して接合する際の他の構造を示すものであって、織布９の両側縁を外方に突出させた状態で、その間にテープ状物８を挟んで接合したものである。織布９の両側縁をテープ状物８を挟んで縫合又は接着する操作を容易に行うことができる。
【００４３】
なお、以上述べたホース本体３にテープ状物８を添着する構造においては、ホース本体３が長さ方向に収縮した状態でテープ状物８を添着しても良いが、場合によってはホース本体３をその長さ方向に若干伸長した状態において、テープ状物８を添着することもできる。
【００４４】
すなわち本発明の螺旋状ホース１は、内圧が作用したときにホース本体３が長さ方向に張力が作用して筒状布６の伸縮性により伸長し、その周方向の一部においてその伸長がテープ状物８により抑制されることにより、ホース体２がテープ状物８を添着した位置が内側となるように彎曲し、その彎曲に基づいて螺旋状ホース１全体として螺旋形状をなすのである。
【００４５】
そして螺旋の径はホース体２における彎曲の内側と外側との伸長率の差によって定まるので、前述のようにホース本体３を若干引き伸ばした状態でテープ状物８を添着することにより、彎曲の内側に対する外側の伸長率が小さくなり、螺旋の径がより大きいものとなり、ホース本体３の伸長の割合を調節することにより、螺旋の径を調節することができる。
【００４６】
また逆に、ホース本体３にテープ状物８を添着する際に、ホース本体３に若干の弛みをもたせながら添着することにより、螺旋状ホース１の螺旋の径を小さいものとすることも可能である。
【００４７】
図５は、本発明においてホース体２の一部において伸長を抑制するための他の手段における、筒状の織布１１を示すものである。この筒状の織布１１は、筒状に織成された筒状布６であっても良く、また通常の織布９の両側縁を接合して筒状としたものであっても差し支えない。
【００４８】
図５において筒状の織布１１はたて糸とよこ糸とを織成してなるものであるが、たて糸としては、筒状の織布１１の大部分を占める伸縮性たて糸４と、筒状の織布１１の周方向の一部を構成する非伸縮性たて糸１２とよりなっており、これらのたて糸とよこ糸５とで筒状の織布１１を形成している。
【００４９】
すなわちこの例においては、筒状の織布１１を構成するたて糸のうちの大部分を占める伸縮性たて糸４により筒状の織布１１は伸縮性を有しており、その周方向の一部において、非伸縮性たて糸１２を使用することにより伸長が抑制されているのである。そしてこの筒状の織布１１に気密処理を施すことにより、ホース体２となっている。
【００５０】
なお、一般に織布を織成する際には、たて糸にテンションをかけながらよこ糸を織り込んで織成するのであるが、上記筒状の織布１１を織成する際には、たて糸４，１２にテンションをかけると伸縮性たて糸４が伸び切った状態で織成され、内圧をかけても螺旋を形成しなくなる。従って少なくとも伸縮性たて糸４にはテンションをかけないか、又はテンションが極端に小さい状態でよこ糸５を織り込んで織成する必要がある。
【００５１】
図６は、本発明のさらに他の例を示すものである。３は図２乃至図４において説明したと同様のホース本体であって、当該ホース本体３における筒状の織布のたて糸は、全てが伸縮性たて糸４である。
【００５２】
そしてそのホース本体３の外側に、カバー筒状布１３が嵌合されている。当該カバー筒状布１３は、伸縮性を有しない通常のたて糸とよこ糸とを筒状に織成したものであり、その長さ方向に延びる帯状部１４を除いた全周に、所定間隔毎に輪切り状の切り込み１５が形成されている。
【００５３】
そしてこの例においては、カバー筒状布１３の切り込み１５が開くことによりホース本体３が伸長することができると共に、帯状部１４においてはホース本体３の伸長が抑制されている。
【００５４】
【作用】
而して本発明の螺旋状ホース１においては、基本的にはたて糸とよこ糸とを織成した筒状の織布に気密処理を施した構造を有しているので、その筒状の織布により耐圧力を有しており、且つ筒状の織布の柔軟性に基づいて不使用時に扁平に折り畳むことが可能な構造を有している。
【００５５】
そして前記筒状の織布におけるたて糸として、伸縮性たて糸４が使用されているので、内圧がかかったときには伸縮性たて糸４に張力が作用し、ホース本体３は長さ方向に伸長する。
【００５６】
しかしながらそのホース本体３の周方向の一部において伸長が抑制されているので、内圧がかかって張力が作用したときにも、当該伸長が抑制された部分は伸長することはない。
【００５７】
従って内圧がかかってホース体２の長さ方向に張力が作用したときには、前記伸長が抑制された部分は伸長せず、それ以外の部分は伸長してその両者の間に伸長量に差が生じ、ホース体２は伸長が抑制された部分が内側となるように彎曲するのである。そして長尺のホース体２の全長に亙ってその彎曲が連続し、螺旋状を呈するのである。
【００５８】
なおホース体２の彎曲は同一平面状で彎曲するため、原理的には同一の位置でグルグルと回転する形状となり、螺旋の軸方向の移動は生じない。しかしながら一周したホース体２が前と同一の位置を占めることは不可能であるので、結果的に軸方向の移動が生じ、ピッチの小さい螺旋状を呈する。そして螺旋は小さい力で軸方向の伸縮が可能であるので、軸方向に引っ張ることにより自由なピッチの螺旋形状を得ることができるのである。
【００５９】
なおホースにおける補強体の構造として、ブレードは長さ方向の伸縮性を有しており、その周方向の一部にテープ状物８を添着するなどの手段で伸長を抑制すれば、加圧時に螺旋状を呈するものとすることができる。
【００６０】
しかしながらこの構造では、ブレードが基本的に屈曲可能であるため、加圧時に螺旋状を呈したとしても、特別な支持手段を設けない限り、螺旋の各ピッチがドミノ倒し状に倒れた状態となり、図１に示すように軸方向に進行する螺旋を形成することができない。
【００６１】
【発明の効果】
従って本発明によれば、常時は直線状に延びており、且つ扁平に折り畳むことが可能であり、折り畳んだ状態でコイル状に巻き、又はジグザグに折り畳んでコンパクトに収納し、運搬することができる。
【００６２】
そしてその螺旋状ホース１内に流体を送入して内圧を作用させたときには、伸長を抑制した部分は伸長することなく、それ以外の部分がホース本体３の伸縮性に基づいて伸長し、自然に螺旋状の形状を呈するのである。
【００６３】
本発明の螺旋状ホース１は、これを消防用ホースの筒先に近い箇所に接続することにより、過剰のホース部分を螺旋部分に吸収して過剰のホースが不必要に蛇行するのを防止することができ、また螺旋部分を螺旋の軸方向に伸縮させることにより、筒先を自由に前進後退させることができるので、安全に消火活動をすることができる。
【００６４】
特に図６に示すようにホース本体３にカバー筒状布１３を嵌合した構造は、カバー筒状布１３により補強されているので耐圧力が高く、高圧の消防用ホースとして充分に使用可能である。
【００６５】
また本発明の螺旋状ホース１における螺旋の外側を筒状の布帛で覆い、螺旋状ホース１内に圧縮空気などの流体を送入して前記筒状の布帛内で螺旋を形成することにより、筒状の布帛を断面円形に膨らませ、速やかに大口径の筒体を形成することができる。
【００６６】
従来大口径の筒体を膨らませる場合には、気密性の筒体内に空気などの流体を送入して膨らませていたが、その筒体を膨らませるに足りるだけの多量の流体を送入する必要があった。しかしながら本発明の螺旋状ホース１を使用すれば、当該螺旋状ホース１に内圧を作用させるに足りるだけの流体を送入すれば良く、その流体量は少なくて済み、短時間で筒体を膨らませることができる。また筒体自体が気密性を有している必要はなく、また筒体の形状も直線状に限らず、彎曲した形状であっても良い。
【００６７】
かかる大口径の筒体の用途としては、イベント会場におけるアーチ型バルーンや、オイルフェンスの浮体などとして利用することが可能であり、さらに広範囲の利用が期待できる。
【図面の簡単な説明】
【図１】  本発明の螺旋状ホースの斜視図
【図２】  本発明の螺旋状ホースを構成するホース体を示すものであって、（ａ）はその一部の斜視図であり、（ｂ）は主要部の拡大横断面図である。
【図３】  本発明におけるホース体の他の例を示すものであって、（ａ）はその一部の斜視図、（ｂ）はそのホース体を構成する気密処理された織布の拡大横断面図であり、（ｃ）は気密処理された織布の他の例の拡大横断面図である。
【図４】  本発明におけるホース体のさらに他の例を示すその一部の斜視図
【図５】  本発明のさらに他の例における筒状の織布の主要部の斜視図
【図６】  本発明におけるホース体のさらに他の例を示すものであって、（ａ）は平常状態の一部の斜視図であり、（ｂ）は内圧が作用して彎曲した状態の一部の斜視図である。
１  螺旋状ホース
２  ホース体
３  ホース本体
４  伸縮性たて糸
５  よこ糸
６  筒状布
７  内張り
８  テープ状物
９  織布
１１  筒状の織布
１２  非伸縮性たて糸
１３  カバー筒状布
１４  帯状部
１５  切り込み
【図１】
0004530519.tif 000002
【図２】
0004530519.tif 000003
【図３】
0004530519.tif 000004
【図４】
0004530519.tif 000005
【図５】
0004530519.tif 000006
【図６】
0004530519.tif 000007